(57)【特許請求の範囲】
【請求項１】
第１の筐体と、
前記第１の筐体に対して、開閉可能な第２の筐体と、
前記第２の筐体に配設され、閉状態の前記第２の筐体に対向する前記第１の筐体上の第１の位置を通過するように原稿を搬送する原稿搬送路と、
前記第１の位置と、前記第１の位置に隣接し、上面に原稿面を下にして固定原稿が載置される第２の位置とを含むように、前記第２の筐体に対向して、前記第１の筐体に配設される板状の透明部材と、
前記第１の筐体に配設され、前記第１の位置および前記第２の位置で、前記透明部材を通して、前記原稿または前記固定原稿の画像を読み取る読取手段と、
前記第１の位置よりも前記原稿の搬送方向下流側において、前記透明部材上に配設され、前記原稿を搬送方向下流側に誘導するガイド部材と、
前記搬送方向上流側から前記搬送方向下流側にかけて、前記第１の位置を覆うように、前記透明部材上に配置される第１シート部と、前記ガイド部材に沿うように、該ガイド部材に当接し、前記原稿搬送路を搬送される前記原稿が接触する第２シート部と、を備える透明シート部材と、
前記第１の位置よりも前記搬送方向上流側の前記第１シート部を、前記透明部材側に押さえ、かつ、前記原稿搬送路を搬送される前記原稿が接触する押さえ部材と、
を備えたことを特徴とする画像読取装置。
【請求項２】
前記透明シート部材は、屈曲部を有し、該屈曲部は、前記第１シート部の前記搬送方向下流側に配置され、
前記屈曲部より前記搬送方向上流側が前記第１シート部であり、
前記屈曲部より前記搬送方向下流側が前記第２シート部であり、
前記屈曲部は、前記第１シート部が前記透明部材に密着するように屈曲された
ことを特徴とする請求項１に記載の画像読取装置。
【請求項３】
前記ガイド部材は、前記第１の位置よりも前記搬送方向下流側で、前記透明部材に対して立設される立壁と、前記立壁に連設され、前記搬送方向下流側に向かって、前記透明部材から離れる方向に傾斜した傾斜部と、を備え、
前記第２シート部は前記ガイド部材の前記傾斜部に面接触によって当接することを特徴とする請求項２に記載の画像読取装置。
【請求項４】
前記透明シート部材の前記透明部材に対向する面には、反射防止処理が施されていることを特徴とする請求項１乃至３の何れか１項に記載の画像読取装置。
【請求項５】
前記透明シート部材の前記第１シート部の前記搬送方向上流側の端部と、前記押さえ部材の前記搬送方向上流側の端部と、を支持する支持部材を更に備えたことを特徴とする請求項１乃至４の何れか１項に記載の画像読取装置。
【請求項６】
前記透明シート部材は、前記透明部材よりも透過率が低く、
前記読取手段によって読み取られた画像を補正する画像補正手段を更に備え、
前記画像補正手段は、前記第１の位置で読み取られた前記原稿の画像と、前記第２の位置で読み取られた前記固定原稿の画像との間で、異なる画像補正を実行することを特徴とする請求項１に記載の画像読取装置。
【請求項７】
請求項１乃至６の何れか１項に記載の画像読取装置と、
前記画像読取装置によって読み取られた画像に基づいて、シートに画像を形成する画像形成手段と、
を備えたことを特徴とする画像形成装置。
【発明の詳細な説明】
【技術分野】
【０００１】
本発明は、原稿画像を読み取る画像読取装置、およびこれを備えた画像形成装置に関する。
【背景技術】
【０００２】
画像読取装置の読取方式として、原稿固定読取と原稿搬送読取の２つの方式が知られている。原稿固定読取方式は、コンタクトガラス上に原稿が載置され、プラテンマットや原稿搬送装置等によって該原稿がコンタクトガラスに押し当てられ、読取ユニットが走査されることによって原稿画像が読み取られる方式である。一方、原稿搬送読取方式は、所定の位置に読取ユニットが固定され、読取ユニット上を原稿が搬送されながら、原稿画像が読み取られる方式である。
【０００３】
原稿搬送読取方式において、原稿読取位置に搬送された原稿を、コンタクトガラスから離間させるためには、原稿読取位置の下流側に、原稿排出ガイドが配設される。原稿固定読取用のコンタクトガラスと原稿搬送読取用のコンタクトガラとが２枚で構成された場合、該２枚のコンタクトガラスの間を利用して、原稿搬送読取用のコンタクトガラスの下に原稿排出ガイドの基端部が配設される。一方、コンタクトガラスが１枚で構成された場合は、コンタクトガラス上に、原稿排出ガイドが配設されることとなる。この場合、搬送される原稿の先端が、原稿排出ガイドに衝突するという不具合が生じる。このような不具合を解決するために、特許文献１に記載の技術では、コンタクトガラスと搬送される原稿との間に、透明読取シートが設けられ、透明読取シートとコンタクトガラスとを介して画像が読み取られる。
【先行技術文献】
【特許文献】
【０００４】
【特許文献１】特開２０１０−４１４８１号公報
【発明の概要】
【発明が解決しようとする課題】
【０００５】
特許文献１に記載の技術では、原稿は、透明読取シートに摺擦しながら、原稿読取位置を通過する。このため、透明読取シートの原稿搬送面側には、ハードコート処理が施されている。しかしながら、このようなハードコート処理が施されても、搬送される原稿によって、透明読取シートに傷が生じてしまう。そして、透明読取シートに傷がつくと、該傷部分の読取光量が低下し、原稿の白地部分は暗い画像（かぶり画像）になり、原稿の黒地部分は、シートで光が反射するために明るい画像になってしまう。更に、透明読取シートに施されたハードコート処理は、透明読取シート自体のコストアップに繋がってしまう。
【０００６】
本発明は、上記の問題に鑑みてなされたものであり、コンタクトガラスと原稿との間に配設される透明読取シートおよび搬送される原稿に傷がつきにくく、安価な透明読取シートを備えた画像読取装置、およびこれを備えた画像形成装置を提供することを目的とする。
【課題を解決するための手段】
【０００７】
本発明の一局面に係る画像読取装置は、第１の筐体と、前記第１の筐体に対して、開閉可能な第２の筐体と、前記第２の筐体に配設され、閉状態の前記第２の筐体に対向する前記第１の筐体上の第１の位置を通過するように原稿を搬送する原稿搬送路と、前記第１の位置と、前記第１の位置に隣接し、上面に原稿面を下にして固定原稿が載置される第２の位置とを含むように、前記第２の筐体に対向して、前記第１の筐体に配設される板状の透明部材と、前記第１の筐体に配設され、前記第１の位置および前記第２の位置で、前記透明部材を通して、前記原稿または前記固定原稿の画像を読み取る読取手段と、前記第１の位置よりも前記原稿の搬送方向下流側において、前記透明部材上に配設され、前記原稿を搬送方向下流側に誘導するガイド部材と、前記搬送方向上流側から前記搬送方向下流側にかけて、前記第１の位置を覆うように、前記透明部材上に配置される第１シート部と、前記ガイド部材に沿うように、該ガイド部材に当接し、前記原稿搬送路を搬送される前記原稿が接触する第２シート部と、を備える透明シート部材と、前記第１の位置よりも前記搬送方向上流側の前記第１シート部を、前記透明部材側に押さえ、かつ、前記原稿搬送路を搬送される前記原稿が接触する押さえ部材と、を備えたことを特徴とする。
【０００８】
本構成によれば、第１の筐体に対して、第２の筐体が開閉可能に配設される。第１の筐体には、第１の位置および第２の位置を含むように板状の透明部材が配設される。また、第１の筐体には、透明部材に対して、第２の筐体と反対側に、読取手段が配置される。読取手段は、透明部材を通して、第２の筐体に配設された原稿搬送路によって第１の位置に搬送された原稿の画像を読み取ると共に、第２の位置で、上面に原稿面を下にして載置される固定原稿の画像を読み取る。第１の位置には、透明部材上に、透明シート部材が配設される。透明シート部材は、第１の位置を覆うように、搬送方向上流側から搬送方向下流側にかけて、透明部材上に配設される第１シート部と、第１の位置よりも搬送方向下流側に配設される第２シート部とを備える。第２シート部は、第１の位置よりも搬送方向下流側の透明部材上に配設されたガイド部材に沿うように当接する。また、第１シート部の第１の位置よりも搬送方向上流側には、第１シート部を透明部材側に押さえ、かつ、原稿搬送路を搬送される原稿が接触する押さえ部材が配置される。原稿搬送路を第１の位置に向かって搬送される原稿は、まず、該押さえ部材に接触する。そして該原稿は、第１の位置において、透明シート部材を介して、透明部材に対向し、原稿画像が、読取手段によって読み取られる。更に、原稿は、ガイド部材上に当接する透明シート部材の第２シート部に接触しながら、搬送方向下流側に搬送される。このように、第１の位置に搬送される原稿は、第１の位置を挟んで上流側では押さえ部材に、下流側では第２シート部に接触する。このため、第１の位置では、原稿が、透明シート部材の第１シート部に接触しにくく、接触した場合であっても、その接触圧が低いため、透明シート部材に傷がつきにくい。更に、透明シート部材の原稿搬送路側にハードコート処理を施す必要がないため、搬送される原稿に傷がつきにくく、透明シート部材が安価で製造される。
【０００９】
上記の構成において、前記透明シート部材は、屈曲部を有し、該屈曲部は、前記第１シート部の前記搬送方向下流側に配置され、前記屈曲部より前記搬送方向上流側が前記第１シート部であり、前記屈曲部より前記搬送方向下流側が前記第２シート部であり、前記屈曲部は、前記第１シート部が前記透明部材に密着するように屈曲されたことが好ましい。
【００１０】
本構成によれば、第２シート部材は、第１の位置よりも搬送方向下流側で、屈曲部を介して、第１シート部に連設される。また、屈曲部は、第１シート部が透明部材に密着するように屈曲される。したがって、第２シート部がガイド部材に当接するにあたり、屈曲部よりも搬送方向上流側の第１シート部が、透明部材に密着し、該透明部材から浮きにくくなる。このため、読取手段における原稿の焦点位置が、好適に維持される。
【００１１】
上記の構成において、前記ガイド部材は、前記第１の位置よりも前記搬送方向下流側で、前記透明部材に対して立設される立壁と、前記立壁に連設され、前記搬送方向下流側に向かって、前記透明部材から離れる方向に傾斜した傾斜部と、を備え、前記第２シート部は前記ガイド部材の前記傾斜部に面接触によって当接することを特徴とすることが好ましい。
【００１２】
本構成によれば、ガイド部材は、第１の位置よりも搬送方向下流側で、透明部材に対して立設される立壁と、立壁に連設され、搬送方向下流側に向かって、透明部材から離れる方向に傾斜した傾斜部とを備える。そして、第２シート部は傾斜部に面接触によって当接する。このため、屈曲部周辺の透明シート部材に、撓みが生じにくく、透明シート部材に、弾性力が蓄積されることによって、搬送される原稿に不安定な力がかかることが抑止される。
【００１３】
上記の構成において、前記透明シート部材の前記透明部材に対向する面には、反射防止処理が施されていることが好ましい。
【００１４】
本構成によれば、透明シート部材の透明部材に対向する面には、コーティングなどの反射防止処理が施される。透明部材と透明シート部材とを重ね合わせたとき、透明部材と透明シート部材の第１シート部との間に、わずかな空気層が形成される場合がある。この際、透明部材と空気層の境界で形成される反射光と、空気層と透明シート部材の第１シート部の境界で形成される反射光とが干渉し、干渉縞の模様が読取画像に含まれる。このような場合であっても、透明シート部材の透明部材に対向する面に反射防止処理が施されることによって、前記光の干渉が抑止され、干渉縞の模様が読取画像に含まれることが防止される。
【００１５】
上記の構成において、前記透明シート部材の前記第１シート部の前記搬送方向上流側の端部と、前記押さえ部材の前記搬送方向上流側の端部と、を支持する支持部材を更に備えたことが好ましい。
【００１６】
本構成によれば、支持部材が、透明シート部材の第１シート部の搬送方向上流側の端部と、押さえ部材の搬送方向上流側の端部とを支持する。このため、透明シート部材が、安定して、透明部材側に押さえられ、透明シート部材の第１シート部と透明部材との間に空気層が生じにくくなる。
【００１７】
上記の構成において、前記透明シート部材は、前記透明部材よりも透過率が低く、前記読取手段によって読み取られた画像を補正する画像補正手段を更に備え、前記画像補正手段は、前記第１の位置で読み取られた前記原稿の画像と、前記第２の位置で読み取られた前記固定原稿の画像との間で、異なる画像補正を実行することが好ましい。
【００１８】
本構成によれば、透明シート部材は、透明部材よりも透過率が低い、安価な材料によって製造される。この際、透明シート部材および透明部材を介して、原稿画像が読み取られる第１の位置の方が、透明シート部材を介さず、原稿画像が読み取られる第２の位置よりも、原稿に照射される原稿照射光量が低下する。このような場合であっても、画像補正手段が、第１の位置で読み取られた原稿の画像と、第２の位置で読み取られた固定原稿の画像との間で、異なる画像補正を実行する。したがって、原稿照射光量の差によって生じる、画像濃度差が低減される。
【００１９】
本発明の他の局面に係る画像形成装置は、上記に記載の画像読取装置と、前記画像読取装置によって読み取られた画像に基づいて、シートに画像を形成する画像形成手段と、
を備えたことが好ましい。
【００２０】
本構成によれば、第１の位置で原稿画像が読み取られる際に、原稿が、透明シート部材の第１シート部に接触しにくく、また、接触した場合であっても、その接触圧が低いため、透明シート部材に傷がつきにくい。したがって、読み取り画像に傷によってもたらされるノイズ画像が含まれず、高い画像品質を備えた画像形成装置が提供される。更に、透明シート部材の原稿搬送路側にハードコート処理を施す必要がないため、安価な透明シート部材を備えた画像形成装置が提供される。
【発明の効果】
【００２１】
本発明によれば、コンタクトガラスと原稿との間に配設される透明読取シートに傷がつきにくく、安価な透明読取シートを備えた画像読取装置、およびこれを備えた画像形成装置を提供することができる。特に、原稿固定読取用のコンタクトガラスと原稿搬送読取用のコンタクトガラスが１枚のガラスで構成される場合であっても、コンタクトガラス上に配設されたガイド部材に原稿が衝突することがなく、透明読取シート自体にも傷がつくことが抑制される。このため、原稿読取画像に傷によってもたらされるノイズ画像が含まれることがなく、画像形成装置の出力画像品質が安定して維持される。
【図面の簡単な説明】
【００２２】
【図１】本発明の一実施形態に係る画像形成装置の斜視図である。
【図２】本発明の一実施形態に係る自動原稿給紙装置の斜視図である。
【図３】本発明の一実施形態に係る画像形成装置の内部構造を示す断面図である。
【図４】本発明の一実施形態に係る自動原稿給紙装置の要部である原稿搬送部の断面図である。
【図５】本発明の一実施形態に係る画像読取ユニットを示す断面図である。
【図６】本発明の一実施形態に係る画像読取ユニットを示す平面図である。
【図７】本発明の一実施形態に係る画像読取ユニットを示す平面図である。
【図８】本発明の一実施形態に係る画像読取装置の要部を示す拡大断面図である。
【発明を実施するための形態】
【００２３】
以下、図面に基づいて、本発明の実施形態につき詳細に説明する。図１は、本発明の一実施形態に係る画像読取装置３を備えた画像形成装置１の外観を示す斜視図、図２は、自動原稿給紙装置３Ａの外観を示す斜視図、図３は、画像形成装置１の内部構造を示す断面図である。また、図４は、自動原稿給紙装置３Ａの要部である原稿搬送部３２の断面図である。ここでは、画像形成装置１として胴内排紙型の複写機を例示しているが、画像形成装置は、プリンター、ファクシミリ装置、或いは、これらの機能を備える複合機であってもよい。
【００２４】
画像形成装置１は、略直方体形状の筐体構造を有し胴内空間を備えた装置本体２、装置本体２の上面に配置された自動原稿給紙装置３Ａ（第２の筐体）、及び装置本体２の下側に組み付けられた増設給紙ユニット４を含む。
【００２５】
装置本体２は、シートに対して画像形成処理を行う。装置本体２は、略直方体形状の下部筐体２１と、下部筐体２１の上方に配設される略直方体形状の上部筐体２２（第１の筐体）と、下部筐体２１と上部筐体２２とを連結する連結筐体２３とを含む。下部筐体２１には画像形成のための各種機器が収容され、上部筐体２２には原稿画像を光学的に読み取るための画像読取ユニット３Ｂが収容されている。前記自動原稿給送装置３Ａおよび画像読取ユニット３Ｂによって、画像読取装置３が構成される。下部筐体２１、上部筐体２２及び連結筐体２３で囲まれる胴内空間が、画像形成後のシートを収容可能な胴内排紙部２４とされている。連結筐体２３は、装置本体２の右側面の側に配置され、胴内排紙部２４へシートを排出するための排出口９６１（図３）が設けられている。
【００２６】
胴内排紙部２４として利用される前記胴内空間は、装置本体２の前面及び左側面において外部に開放されている。ユーザは、これらの開放部分から手を差し入れ、胴内排紙部２４から画像形成後のシートを取り出すことが可能である。前記胴内空間の底面２４１は、下部筐体２１の上面で区画され、排出口９６１から排出されたシートが積載される。
【００２７】
上部筐体２２の前面には、操作パネルユニット２５が突出して設けられている。操作パネルユニット２５は、テンキー、スタートキーなどを含む操作キー２５１及びＬＣＤタッチパネル２５２などを備え、ユーザからの各種の操作指示の入力を受け付ける。ユーザは、操作パネルユニット２５を通じて、印刷されるシートの枚数等を入力したり、印刷濃度等を入力したりすることができる。
【００２８】
下部筐体２１には、画像形成処理が施される記録シートを収容する給紙カセット２１１が装着されている。増設給紙ユニット４もまた、画像形成処理が施される記録シートを収容する給紙カセット４１、４２を含む。これら給紙カセット２１１、４１、４２は、自動給紙用に設けられたカセットであり、大量の記録シートをサイズ別に収容することができる。また、給紙カセット２１１、４１、４２は、下部筐体２１又は増設給紙ユニット４の前面から手前方向に引出可能である。なお、図３では、下部筐体２１の給紙カセット２１１のみを描いている。
【００２９】
装置本体２の右側面には、ユーザに手差し給紙を行わせるためのマルチトレイユニットＭが装着されている。マルチトレイユニットＭは、手差しの記録シートが載置される給紙トレイ４３と、前記記録シートを下部筐体２１内の画像形成部へ搬入する給紙ユニット４４とを含む。給紙トレイ４３は、その下端部において下部筐体２１に対して開閉自在に取り付けられており、不使用時は閉状態とされる。ユーザは、手差し給紙を行う場合、給紙トレイ４３を開き、その上に記録シートを載置する。
【００３０】
自動原稿給紙装置３Ａは、装置本体２の上面に、その後側において回動自在に取り付けられている。なお、図３では、この自動原稿給紙装置３Ａの記載を省いている。自動原稿給紙装置３Ａは、装置本体２における所定の原稿読取位置に向けて、複写される原稿シートを自動給紙する。一方、ユーザが手置きで原稿シートを所定の原稿読取位置に載置する場合は、自動原稿給紙装置３Ａは上方に開けられる。
【００３１】
図２を参照して、自動原稿給紙装置３Ａは、本体ハウジング３０、原稿給紙トレイ３１、原稿搬送部３２、原稿排紙トレイ３３を備える。本体ハウジング３０は、自動原稿給紙装置３Ａに備えられている各種の機構を収容する筐体である。自動原稿給紙装置３Ａは、原稿搬送部３２を収容する左側部分に、上方に隆起した前壁部３０１及び後壁部３０２を有すると共に、右側部分に、ほぼフラットな低層部分を備えている。
【００３２】
原稿給紙トレイ３１は、画像読取位置へ給送される原稿シートが載置されるトレイであって、本体ハウジング３０の給送口３０Ｈから延出するように、本体ハウジング３０に付設されている。原稿給紙トレイ３１には、載置された原稿シートの幅合わせを行うための一対のカーソル３１１が備えられている。
【００３３】
原稿搬送部３２は、原稿給紙トレイ３１上の原稿シートを、画像読取位置を経由して原稿排紙トレイ３３まで搬送する搬送路及び搬送機構を備える。原稿搬送部３２は、本体ハウジング３０の前壁部３０１及び後壁部３０２の間の開口に嵌め込まれる上部カバーユニット３２Ｕを含む。これら詳細については、図４に基づいて後記で詳述する。
【００３４】
原稿排紙トレイ３３は、原稿画像が光学的に読み取られた後の原稿シートが排出されるトレイである。本体ハウジング３０の右側における前記低層部分の上面が、原稿排紙トレイ３３とされている。
【００３５】
続いて、図３に基づいて、装置本体２の内部構造を説明する。下部筐体２１の内部には、上方から順に、トナーコンテナ９９Ｙ、９９Ｍ、９９Ｃ、９９Ｂｋ、中間転写ユニット９２、画像形成部９３、露光ユニット９４、及び上述の給紙カセット２１１が収容されている。
【００３６】
画像形成部９３は、フルカラーのトナー像を形成するために、イエロー（Ｙ）、マゼンタ（Ｍ）、シアン（Ｃ）及びブラック（Ｂｋ）の各トナー像を形成する４つの画像形成ユニット１０Ｙ、１０Ｍ、１０Ｃ、１０Ｂｋを備える。各画像形成ユニット１０Ｙ、１０Ｍ、１０Ｃ、１０Ｂｋは、感光体ドラム１１と、この感光体ドラム１１の周囲に配置された、帯電器１２、現像装置１３、一次転写ローラー１４及びクリーニング装置１５とを含む。
【００３７】
感光体ドラム１１は、その軸回りに回転し、その周面に静電潜像及びトナー像が形成される。感光体ドラム１１としては、アモルファスシリコン（ａ−Ｓｉ）系材料を用いた感光体ドラムを用いることができる。帯電器１２は、感光体ドラム１１の表面を均一に帯電する。帯電後の感光体ドラム１１の周面は、露光ユニット９４によって露光され、静電潜像が形成される。
【００３８】
現像装置１３は、感光体ドラム１１上に形成された静電潜像を現像するために、感光体ドラム１１の周面にトナーを供給する。現像装置１３は、２成分現像剤用のものであり、攪拌ローラー１６、１７、磁気ローラー１８、及び現像ローラー１９を含む。攪拌ローラー１６、１７は、２成分現像剤を攪拌しながら循環搬送することで、トナーを帯電させる。磁気ローラー１８の周面には２成分現像剤層が担持され、現像ローラー１９の周面には、磁気ローラー１８と現像ローラー１９との間の電位差によってトナーが受け渡されることにより形成されたトナー層が担持される。現像ローラー１９上のトナーは、感光体ドラム１１の周面に供給され、前記静電潜像が現像される。
【００３９】
一次転写ローラー１４は、中間転写ユニット９２に備えられている中間転写ベルト９２１を挟んで感光体ドラム１１とニップ部を形成し、感光体ドラム１１上のトナー像を中間転写ベルト９２１上に一次転写する。クリーニング装置１５は、トナー像転写後の感光体ドラム１１の周面を清掃する。
【００４０】
イエロー用トナーコンテナ９９Ｙ、マゼンタ用トナーコンテナ９９Ｍ、シアン用トナーコンテナ９９Ｃ、及びブラック用トナーコンテナ９９Ｂｋは、それぞれ各色のトナーを貯留するものであり、ＹＭＣＢｋ各色に対応する画像形成ユニット１０Ｙ、１０Ｍ、１０Ｃ、１０Ｂｋの現像装置１３に、図略の供給経路を通して各色のトナーを供給する。
【００４１】
露光ユニット９４は、光源やポリゴンミラー、反射ミラー、偏向ミラーなどの各種の光学系機器を有し、画像形成ユニット１０Ｙ、１０Ｍ、１０Ｃ、１０Ｂｋの各々に設けられた感光体ドラム１１の周面に、原稿画像の画像データに基づく光を照射して、静電潜像を形成する。
【００４２】
中間転写ユニット９２は、中間転写ベルト９２１、駆動ローラー９２２及び従動ローラー９２３を備える。中間転写ベルト９２１上には、複数の感光体ドラム１１からトナー像が重ね塗りされる（一次転写）。重ね塗りされたトナー像は、給紙カセット２１１から供給される記録シートに、二次転写部９８において二次転写される。中間転写ベルト９２１を周回駆動させる駆動ローラー９２２及び従動ローラー９２３は、下部筐体２１によって回転自在に支持される。
【００４３】
給紙カセット２１１（４１、４２）は、複数の記録シートが積層されてなるシート束を収納する。給紙カセット２１１の右端側の上部には、繰り出しローラー２１２が配置されている。繰り出しローラー２１２の駆動により、給紙カセット２１１内のシート束の最上層の記録シートが１枚ずつ繰り出され、搬入搬送路２６へ搬入される。一方、給紙トレイ４３に載置された手差しの記録シートは、給紙ユニット４４の搬送ローラー４５の駆動によって、搬入搬送路２６へ搬入される。
【００４４】
搬入搬送路２６の下流側には、二次転写部９８、後述する定着ユニット９７及び排紙ユニット９６を経由して排出口９６１まで延びる搬送路２８が設けられている。搬送路２８の上流部分は、下部筐体２１に形成された内壁と、反転搬送ユニット２９の内側面を形成する内壁との間に形成されている。なお、反転搬送ユニット２９の外側面は、両面印刷の際にシートを反転搬送する反転搬送路２９１の片面を構成している。搬送路２８の、二次転写部９８よりも上流側にはレジストローラー対２７が配置されている。シートは、レジストローラー対２７にて一旦停止され、スキュー矯正が行われた後、画像転写のための所定のタイミングで、二次転写部９８に送り出される。
【００４５】
連結筐体２３の内部には、定着ユニット９７と排紙ユニット９６とが収納されている。定着ユニット９７は、定着ローラーと加圧ローラーとを含み、二次転写部９８においてトナー像が二次転写された記録シートを加熱及び加圧することで、定着処理を施す。定着処理されたカラー画像付の記録シートは、定着ユニット９７の下流に配置されている排紙ユニット９６により、排出口９６１から胴内排紙部２４に向けて排出される。
【００４６】
上部筐体２２（第２の筐体）には、画像読取ユニット３Ｂが配設される。画像読取ユニット３Ｂは、コンタクトガラス２２２（透明部材）と、ＣＩＳユニット２２４（読取手段）と、画像処理ユニット２２５（画像補正手段）とを含む。コンタクトガラス２２２は、自動原稿給紙装置３Ａから自動給送される原稿シートと、上面に原稿面を下にして載置される固定原稿とに対向し、これらの原稿の画像が読み取られるための読み取り面となる。
【００４７】
ＣＩＳユニット２２４は、原稿シートの原稿情報を光学的に読み取る。ＣＩＳユニット２２４は、不図示のＬＥＤ光源と、ＧＲＩＮ（Graded-Index）レンズと、ＣＩＳ（密着型イメージセンサ：Contact Image Sensor）とを含む。ＬＥＤ光源で照明された原稿からの反射光が、アレイ状に配置されたＧＲＩＮレンズを介して、ライン状に配設されたＣＩＳで光電変換され、原稿の画像が読み取られる。ＣＩＳで光電変換された原稿画像の画像データは、画像処理ユニット２２５に送られる。画像処理ユニット２２５は、原稿画像の読取条件に応じて、画像データに対して各種の画像処理を実行した後、処理後の画像データを露光ユニット９４に送る。
【００４８】
続いて、図４に基づき、自動原稿給紙装置３Ａの内部構造について詳述する。図４は、自動原稿給紙装置３Ａの要部である原稿搬送部３２の断面図である。原稿搬送部３２は、原稿シートＰの搬送経路となる第１〜第３搬送路３４１〜３４３（原稿搬送路）と、これら第１〜第３搬送路３４１〜３４３の適所に配置された第１搬送ローラー対３５１および第２搬送ローラー対３５２と、原稿給紙トレイ３１に載置された原稿シートを原稿搬送部３２内へ送り込む原稿給送ユニット５と、を備える。
【００４９】
第１、第２及び第３搬送路３４１、３４２、３４３は、上述の給送口３０Ｈから、搬送される原稿の画像の光学的な原稿読取位置Ｘ（第１の位置）を経由して、原稿シートＰを原稿排紙トレイ３３に排紙する排紙口３０Ｅまで延びる、Ｕ字型に湾曲したシート搬送路を構成している。
【００５０】
第１搬送路３４１は、原稿給紙トレイ３１に連なって給送口３０Ｈから左方に、略円弧形状を有しながら、第１搬送ローラー対３５１まで、やや先下がりに延びる搬送路である。第１搬送路３４１は、原稿給送ユニット５から送り出された原稿シートＰが最初に通過する搬送路である。この第１搬送路３４１の上側搬送面は、上部カバーユニット３２Ｕの第１ガイド部材３５５により画定されている。
【００５１】
第２搬送路３４２は、第１搬送路３４１の下流端から、原稿読取位置Ｘを形成する接面ガイド３６との対向位置まで延びる、円弧状の搬送路である。なお、接面ガイド３６は、コンタクトガラス２２２（図３）に対向配置され、該コンタクトガラス２２２との間で原稿読取位置Ｘを形成する。第２搬送路３４２の下側搬送面は、円弧状の第２ガイド部材３６１によって画定され、第２搬送路３４２の上側搬送面は、第２ガイド部材３６１に対向して配置される、円弧状の第３ガイド部材３６２によって画定される。
【００５２】
第３搬送路３４３は、接面ガイド３６との対向位置から右方に、排紙口３０Ｅまでやや先上がりに延びる搬送路である。第３搬送路３４３の入口側は、コンタクトガラス２２２上に配設された後記の原稿排出ガイド６３と、該原稿排出ガイド６３の上方に対向配置される第４ガイド部材３６３とによって画定される。
【００５３】
原稿給送ユニット５は、第１搬送路３４１の入口側に配置されている。また、原稿給送ユニット５は、上部カバーユニット３２Ｕの下面に組み付けられている。原稿給送ユニット５は、各構成部品を支持するホルダ５０と、ピックアップローラー５１と、該ピックアップローラー５１に対してシート搬送方向の下流側に所定間隔をおいて配置される原稿給紙ローラー５２と、ピックアップローラー５１と原稿給紙ローラー５２との間の駆動伝達を行うアイドラギア５７とを含む。
【００５４】
ピックアップローラー５１は、不図示の駆動手段により回転駆動され、原稿給紙トレイ３１に載置された原稿シートＰを、第１搬送路３４１に向けて送り出す。図４に示すように、本体ハウジング３０の原稿給紙トレイ３１の下流端には、ピックアップローラー５１と対向する位置に、対向パッド３１３が配置されている。ピックアップローラー５１は、原稿シートＰに当接するために、不図示の回動手段によって矢印Ｄ１の方向に回動される。そして、ピックアップローラー５１と対向パッド３１３との間に、原稿シートＰが挟持されるニップ部Ａ１が形成される。
【００５５】
原稿給紙ローラー５２は、不図示の駆動手段によって回転駆動され、ピックアップローラー５１から送り出された原稿シートを、さらに第１搬送路３４１下流に向けて１枚ずつ搬送する。図４に示すように、本体ハウジング３０には、原稿給紙ローラー５２に対向して、分離パッド３５０が下方に配置されている。分離パッド３５０の更に下方には、該分離パッド３５０を上方に押圧するバネ部材３５０ａが配置されている。バネ部材３５０ａの押圧力により、原稿給紙ローラー５２と分離パッド３５０との間で、ニップ部Ｂ１が形成される。
【００５６】
第１、第２搬送ローラー対３５１、３５２は、それぞれ、原稿シートを搬送する回転駆動力を発生する駆動ローラー３５１Ａ、３５２Ａと、これに当接されて従動回転する従動ローラー３５１Ｂ、３５２Ｂとの組み合わせからなる。
【００５７】
第１搬送ローラー対３５１は、第１搬送路３４１と第２搬送路３４２との間に配置され、原稿給送ユニット５から送り出された原稿シートを原稿読取位置Ｘに向けて給送する。第２搬送ローラー対３５２は、第３搬送路３４３の終端に配設され、原稿読取位置Ｘにおいて読み取り動作が終了された原稿シートＰを排紙口３０Ｅから原稿排紙トレイ３３に向けて給送する。
【００５８】
次に、図５〜図８を参照して、本実施形態に係る画像読取ユニット３Ｂの構成について説明する。図５は、本発明の一実施形態に係る画像読取ユニット３Ｂを示す断面図であり、図６および図７は、画像読取ユニット３Ｂを示す平面図である。図６は、図７に対して、後記のシートホルダ６１、搬送ガイドシート６２、透明シート７０が取り外された状態を表している。また、図８は、自動原稿給送装置３Ａと画像読取ユニット３Ｂとの間に形成された、原稿読取位置Ｘの周辺の構成を示す拡大断面図である。
【００５９】
図５を参照して、画像読取ユニット３Ｂは、上部筐体２２に収容される。上部筐体２２（第１の筐体）は、上部フレーム２２Ａと、下部フレーム２２Ｚと、原稿排出ガイド６３（ガイド部材）と、サイドフレーム２２３とを備える。上部筐体２２は、上方を上部フレーム２２Ａに、下方を下部フレーム２２Ｚによって画定される。すなわち、上部フレーム２２Ａおよび下部フレーム２２Ｚが、組み合わされることで、箱型の上部筐体２２が形成される。
【００６０】
図６を参照して、上部フレーム２２Ａには、上方に開口する２つの開口部が、それぞれ読取領域Ａおよび読取領域Ｂとして形成されている。読取領域Ａと読み取り領域Ｂとの境界は、後記の原稿排出ガイド６３で画定される。読取領域Ａは、自動原稿給送装置３Ａによって搬送される原稿の画像が読み取られる原稿読取位置Ｘ（第１の位置）が含まれる領域であり、読取領域Ｂ（第２の位置）は、コンタクトガラス２２２に載置される固定原稿の画像が読み取られる領域である。読取領域Ａは、上部フレーム２２Ａの左端に、前後方向に細長形状を持って形成され、四辺を第１１開口辺２２Ｂ、第１２開口辺２２Ｃ、第１３開口辺２２Ｄ、第１４開口辺２２Ｅによって画定される。一方、読取領域Ｂは、読取領域Ａの右側に所定の間隔をおいて隣接して形成される。読取領域Ｂは、読取領域Ａの右側近傍から、上部フレーム２２Ａの右端近傍にまで広がるように、形成されている。読取領域Ｂは、四辺を第２１開口辺２２Ｆ、第２２開口辺２２Ｇ、第２３開口辺２２Ｈ、第２４開口辺２２Ｉによって画定される。
【００６１】
図５および図６を参照して、コンタクトガラス２２２（透明部材）は、上部フレーム２２Ａの裏側から挿入され、読取領域Ａおよび読取領域Ｂを下方から塞ぐように、上部フレーム２２Ａに固定配置される。本実施形態では、コンタクトガラス２２２は、１枚のガラス板から構成される。コンタクトガラス２２２の読取領域Ａに配設された部分は、自動原稿給送装置３Ａによって搬送された原稿シートが対向し、コンタクトガラス２２２の読取領域Ｂ（第２の位置）に配設された部分は、固定原稿が、上面に原稿面を下にして載置される。そして、ＣＩＳユニット２２４は、図５の矢印Ｄｉに示すように、これらの原稿画像を読み取るために、読取領域Ａから読取領域Ｂの右端までの間を、不図示の移動手段によって、移動可能に配設されている。
【００６２】
原稿排出ガイド６３（ガイド部材）は、上部フレーム２２Ａの一部であり、上部フレーム２２Ａが一体成型によって製造されることで、上部フレーム２２Ａの上面に配置される。原稿排出ガイド６３は、読取領域Ａおよび読取領域Ｂの境界に相当し、第１３開口辺２２Ｄおよび第２１開口辺２２Ｆは、原稿排出ガイド６３の側縁によって形成される。図８を参照して、原稿排出ガイド６３は、コンタクトガラス２２２の上面から立設し、互いに左右方向に離間して配設される第１ガイド脚部６３１及び第２ガイド脚部６３３と、ガイド傾斜部６３５とを備える。第１ガイド脚部６３１は、読取領域Ａ側でコンタクトガラス２２２の上面から立設するように配設される壁部であり、第２ガイド脚部６３３は、読取領域Ｂ側でコンタクトガラス２２２から立設するように配設される壁部である。第２ガイド脚部６３３は、第１ガイド脚部６３１に比べて、高く配設される。ガイド傾斜部６３５は、第１ガイド脚部６３１と第２ガイド脚部６３３とを連設する。ガイド傾斜部６３５は、第１ガイド脚部６３１のガイド前壁６３４から延設され、第２ガイド脚部６３３側に向かって、コンタクトガラス２２２から離れるように（上方向に向かって）、所定の角度で傾斜した平面部である。
【００６３】
サイドフレーム２２３は、上部フレーム２２Ａの一部であり、上部フレーム２２Ａが一体成型によって製造されることで、上部フレーム２２Ａの上面に配置される。サイドフレーム２２３は、読取領域Ａの左端に位置し、後記のシートホルダ６１を保護する機能を備える。
【００６４】
図７および図８を参照して、画像読取ユニット３Ｂは、読取領域Ａにおいて、透明シート７０（透明シート部材）と、搬送ガイドシート６２（押さえ部材）と、シートホルダ６１とを備える。
【００６５】
図８において、読取領域Ａの左右方向の略中心位置に、ＣＩＳユニット２２４内のＣＩＳが原稿を読み取る原稿読取位置Ｘ（第１の位置）が配置される。また、読取領域Ａの上方には、前述の自動原稿給送装置３Ａ内の第２搬送路３４２および第３搬送路３４３が配置される。すなわち、原稿シートＰは、第２搬送路３４２を左上方から搬送され、コンタクトガラス２２２上の原稿読取位置Ｘを通過し、第３搬送路３４３を右上方に向かって搬送される。
【００６６】
透明シート７０は、透明の薄板状のシート部材である。本実施形態では、透明シート７０の材料として、板厚０．２ｍｍのＰＥＴフィルムが用いられる。なお、透明シート７０として、その他の透明のシート材料を採用することができる。この場合、透明シート７０の板厚は、好ましくは、０．１ｍｍから０．４ｍｍの範囲に設定される。透明シート７０は、第１シート部７０５と第２シート部７０６とを備える。第１シート部７０５は、原稿シートＰの搬送方向上流側から搬送方向下流側にかけて、原稿読取位置Ｘを覆うように、コンタクトガラス２２２上に配置される。第２シート部７０６は、第１シート部７０５の搬送方向下流側で第１シート部７０５に連設され、かつ、原稿排出ガイド６３のガイド傾斜部６３５に当接する。第１シート部７０５は、コンタクトガラス２２２の上面に密着するように配設される。また、透明シート７０は、第１シート部７０５と第２シート部７０６との間に、屈曲部７０１を備える。すなわち、屈曲部より原稿シートＰの搬送方向上流側が第１シート部であり、屈曲部より原稿シートＰの搬送方向下流側が第２シート部である。また、透明シート７０の第１シート部７０５および第２シート部７０６のコンタクトガラス２２２に対向する面には、反射防止処理が施されている。
【００６７】
搬送ガイドシート６２は、原稿読取位置Ｘよりも、原稿シートＰの搬送方向上流側に配設される。搬送ガイドシート６２は、透明シート７０と同様の透明の薄板状のシート部材である。搬送ガイドシート６２には、透明シート７０と同種の材料が用いられる。搬送ガイドシート６２は、原稿読取位置Ｘよりも搬送方向上流側の第１シート部７０５を、コンタクトガラス２２２側に押さえる機能を備える。また、搬送ガイドシート６２のうち、搬送方向下流側の原稿読取位置Ｘの近傍に配設されたガイドシート先端部６２２は、第２搬送路３４２に進入するように配置される。このため、第２搬送路３４２を搬送される原稿シートＰは、ガイドシート先端部６２２に当接しながら、原稿読取位置Ｘに向かう。
【００６８】
シートホルダ６１は、透明シート７０および搬送ガイドシート６２よりも、原稿シートＰの搬送方向上流側のコンタクトガラス２２２上に配置される。シートホルダ６１は、僅かに高さを持った左右方向の断面視で略Ｔ字形状の板状部材である。シートホルダ６１は、コンタクトガラス２２２の上面から立設するように配設されるホルダ支持部６１１と、ホルダ支持部６１１から、それぞれ左右方向に延設されるホルダ基端部６１２とホルダ先端部６１３とを備える。ホルダ基端部６１２は、サイドフレーム２２３によって上方を覆われている。すなわち、シートホルダ６１は、ホルダ基端部６１２にユーザが触れることができないように、サイドフレーム２２３によって保護されており、これによって、シートホルダ６１がホルダ支持部６１１を支点として、左側に倒れることが抑止される。また、ホルダ先端部６１３は、コンタクトガラス２２２との間で、透明シート７０の第１シート部７０５の透明シート基端部７０３および搬送ガイドシート６２のガイドシート基端部６２１を挟むように支持する。そして、図７に示すように、シートホルダ６１の前後方向の中央部には、締結部６２ａが２箇所配設されている。該締結部６２ａによって、透明シート７０と搬送ガイドシート６２とが一体的に固定され、読取領域Ａから離脱することが抑止される。なお、サイドフレーム２２３によって、ホルダ支持部６１１を支点としたシートホルダ６１の傾動が抑止されるため、搬送ガイドシート６２および透明シート７０を支持するホルダ先端部６１３が上方に浮きあがることが防止される。
【００６９】
次に、本実施形態において、読取領域Ａにおいて発現される作用について説明する。自動原稿給送装置３Ａの原稿給送ユニット５（図４）によって給送された原稿シートＰは、第１搬送路３４１から第２搬送路３４２に搬入される。そして、第２搬送路３４２を原稿読取位置Ｘに向かって搬送される原稿シートＰは、搬送ガイドシート６２のガイドシート先端部６２２に接触する（図８）。この際、原稿シートＰの進行方向は、右下方向から略水平方向に変化される。このため、原稿シートＰは、原稿読取位置Ｘの上方を、略水平方向に搬送される。そして、ＣＩＳユニット２２４によって、原稿読取位置Ｘを通過する原稿シートＰの原稿画像が読み取られる。原稿読取位置Ｘを通過した原稿シートＰは、原稿排出ガイド６３上に当接した第２シート部７０６の透明シート当接部７０４に接触する。この際、原稿シートＰの進行方向は、略水平方向から、右上方向に向かうように変化される。透明シート当接部７０４に当接した原稿シートＰは、第３搬送路３４３を更に下流側に向かって搬送され、排紙口３０Ｅから原稿排紙トレイ３３に排出される。
【００７０】
このように、本実施形態では、原稿読取位置Ｘを搬送方向上流側から下流側に向かって搬送される原稿シートＰは、原稿読取位置Ｘよりも上流側の位置で、ガイドシート先端部６２２に接触する。また、原稿シートＰは、原稿読取位置Ｘよりも下流側の位置で、透明シート当接部７０４に接触する。そして、ガイドシート先端部６２２から透明シート当接部７０４に向かって搬送される原稿シートＰは、略水平方向に搬送されるため、原稿シートＰが、透明シート７０の第１シート部７０５に接触することが抑止される。したがって、透明シート７０の第１シート部７０５が、原稿シートＰによって摺擦され、第１シート部７０５に傷が生じることが抑制される。この結果、該傷によってＣＩＳユニット２２４が読み取る読取画像に、ノイズ画像は含まれることがない。更に、透明シート７０の第１シート部７０５に、傷の発生を防止するためのハードコート処理が施される必要がない。
【００７１】
更に、本実施形態では、搬送ガイドシート６２が、第１シート部７０５をコンタクトガラス２２２側に押さえる機能を備える。このため、第１シート部７０５がコンタクトガラス２２２から上方に浮き上がり、原稿シートＰに接触することが抑止される。また、第１シート部７０５とコンタクトガラス２２２との間に、空気層が形成されにくいため、該空気層と透明シート７０との境界で、ＣＩＳ２２４がもたらす反射光が干渉し、読取画像に干渉縞が含まれることが防止される。
【００７２】
また、本実施形態では、第１シート部７０５と第２シート部７０６との間には、第１シート部７０５がコンタクトガラス２２２に密着するように、屈曲部７０１が形成されている。屈曲部７０１によって、第１シート部７０５および第２シート部７０６の姿勢が、互いに影響を受けにくく、第１シート部７０５がコンタクトガラス２２２に密着される状態が維持される。したがって、上記のように、空気層が形成されることによってもたらされる不具合が防止される。
【００７３】
更に、本実施形態では、屈曲部７０１の屈曲角度は、原稿排出ガイド６３のガイド傾斜部６３５がガイド前壁６３４から傾斜する傾斜角度と平行になるように、設定されている。この結果、透明シート７０の第２シート部７０６は、原稿排出ガイド６３のガイド傾斜部６３５に面接触によって当接する。このため、屈曲部７０１の周辺が撓み、屈曲部７０１がコンタクトガラス２２２から浮き上がることが抑止される。また、透明シート７０の撓みによって、透明シート７０に弾性力が蓄積され、搬送される原稿シートＰが、透明シート７０に接触した際に、不安定な力が原稿シートＰに付与されることが防止される。
【００７４】
なお、前述のとおり、透明シート７０の第１シート部７０５および第２シート部７０６のコンタクトガラス２２２に対向する面には、反射防止処理が施されている。透明シート７０がコンタクトガラス２２２上に配設された際に、コンタクトガラス２２２と透明シート７０の第１シート部７０５との間に、わずかな空気層ができる場合がある。この際、コンタクトガラス２２２と空気層との境界で生じる反射光と、空気層と透明シート７０の第１シート部７０５との境界で生じる反射光と、が干渉し、干渉縞の模様が読取画像に含まれることがある。したがって、透明シート７０のコンタクトガラス２２２に対向する面に反射防止処理が施されることによって、前記光の干渉が抑止され、干渉縞の模様が読取画像に含まれることが防止される。
【００７５】
また、本実施形態では、透明シート７０および搬送ガイドシート６２の搬送方向上流側では、透明シート基端部７０３およびガイドシート基端部６２１が、ホルダ先端部６１３によって一体的に支持されている。したがって、第１シート部７０５のコンタクトガラス２２２への密着と、ガイドシート先端部６２２の第２搬送路３４２への進入位置が安定して維持される。
【００７６】
以上、本実施形態に係る画像読取装置３および画像形成装置１について説明したが、本発明は、これらの実施形態に限定されるものではなく、例えば次のような変形実施形態を取ることができる。
【００７７】
（１）本実施形態では、原稿排出ガイド６３が、上部フレーム２２Ａに一体的に配設される構成として説明したが、これに限定されるものではない。すなわち、原稿排出ガイド６３は、上部フレーム２２Ａに対して、別部材として、固定される構成であってもよい。
【００７８】
（２）また、本実施形態では、透明シート７０において、第１シート部７０５と第２シート部７０６との間に、屈曲部７０１が形成される構成で説明したが、これに限定されるものではない。第１シート部７０５のコンタクトガラス２２２への密着と、第２シート部７０６の原稿排出ガイド６３への当接面が安定して確保される構成であれば、他の態様でも同様の効果が奏される。たとえば、第２シート部７０６は、原稿排出ガイド６３に対して、所定の幅をもって両面テープなどで固定される態様であってもよい。
【００７９】
（３）また、本実施形態では、原稿読取位置Ｘにおいて、搬送される原稿シートＰの原稿画像が、ＣＩＳ２２４によって読み取られる構成で説明したが、これに限定されるものではない。原稿画像を読み取る読取手段として、各種の縮小光学系および密着光学系の読取手段が採用される態様であってもよい。
【００８０】
（４）更に、上記の透明シート７０には、ＣＩＳユニット２２４による原稿画像の読取に影響を与えないために、高い透過率（全光線透過率）を備えた材料が用いられることが好適であるが、コンタクトガラス２２２よりも透過率が低い材料が用いられる態様であってもよい。この場合、透明シート７０の材料コストが抑制される。一方、このように、透明シート７０の透過率がコンタクトガラス２２２よりも低い場合、読取領域Ａにおいて、搬送される原稿シートＰの原稿画像が読み取られる場合の方が、読取領域Ｂにおいて、固定原稿の原稿画像が読み取られる場合よりも、ＣＩＳユニット２２４による原稿照射光量が低下する。読取領域Ｂでは、固定原稿は、コンタクトガラス２２２のみを通過した照射光を受けるが、読取領域Ａでは、原稿シートＰは、コンタクトガラス２２２および透明シート７０を通過した照射光を受けるためである。この結果、原稿シートＰの原稿画像を基に形成されたプリント画像のほうが、固定原稿の原稿画像を基に形成されたプリント画像よりも、濃度が低くなってしまう。
【００８１】
この場合、画像補正ユニット２２５（画像補正手段）が、読取領域Ａにおいて、搬送される原稿シートＰの原稿画像が読み取られる場合と、読取領域Ｂにおいて、固定原稿の原稿画像が読み取られる場合とでは、異なる画像補正動作を実行することが好ましい。
【００８２】
たとえば、原稿に照射する照明光の光量分布の不均一性や受光素子間の受光感度のバラツキがあると画像データの読み取り品質が低下するため、画像補正ユニット２２５はシェーディング補正機能を備える。ＣＩＳユニット２２４には、不図示の白色基準板（白色基準値を測定するために用いられる基準板）を備える。ＣＩＳユニット２２４が、白色基準板に照明光を照射して得られる反射光等を受光素子（不図示）で受光する。そして、該反射光に基づいて、画像補正ユニット２２５が、シェーディング補正用データを受光素子毎に求め、このデータを用いて原稿から読み取られた原稿画像データを補正する。このように、シェーディング補正機能は、照明光の光量分布の不均一性や受光素子間の受光感度のバラツキを補正する機能である。
【００８３】
このシェーディング補正機能を利用して、読取領域Ａにおいて、搬送される原稿シートＰの原稿画像が読み取られる場合には、画像補正ユニット２２５は、前記シェーディング補正用データに、予め不図示の記憶部に格納された補正データを加算（または減算）する。これにより、原稿シートＰの原稿画像に基づいて形成されたプリント画像の濃度を、固定原稿の原稿画像に基づいて形成されたプリント画像の濃度に、近づけることが可能となる。
【符号の説明】
【００８４】
１  画像形成装置
２  装置本体
３  画像読取装置
３Ａ  自動原稿給送装置（第２の筐体）
３Ｂ  画像読取ユニット
２２  上部筐体（第１の筐体）
２２Ａ  上部フレーム
２２Ｚ  下部フレーム
２２３  サイドフレーム
２２Ｂ  第１１開口辺
２２Ｃ  第１２開口辺
２２Ｄ  第１３開口辺
２２Ｅ  第１４開口辺
２２Ｆ  第２１開口辺
２２Ｇ  第２２開口辺
２２Ｈ  第２３開口辺
２２Ｉ  第２４開口辺
２２２  コンタクトガラス（透明部材）
２２４  ＣＩＳユニット（読取手段）
２２５  画像補正ユニット（画像補正手段）
３５５  第１ガイド部材
３６  接面ガイド
３６１  第２ガイド部材
３６２  第３ガイド部材
３６３  第４ガイド部材
６１  シートホルダ（支持部材）
６１１  ホルダ支持部
６１２  ホルダ基端部
６１３  ホルダ先端部
６２  搬送ガイドシート（押さえ部材）
６２１  ガイドシート基端部
６２２  ガイドシート先端部
６３  原稿排出ガイド（ガイド部材）
６３１  第１ガイド脚部
６３２  ガイド頂部
６３３  第２ガイド脚部
６３４  ガイド前壁
６３５  ガイド傾斜部
７０  透明シート（透明シート部材）
７０１  屈曲部
７０２  透明シート先端部
７０３  透明シート基端部
７０４  透明シート当接部
７０５  第１シート部
７０６  第２シート部
Ａ  読取領域Ａ
Ｂ  読取領域Ｂ（第２の位置）
Ｘ  原稿読取位置Ｘ（第１の位置）
【図１】
0005409753.tif 000002
【図２】
0005409753.tif 000003
【図３】
0005409753.tif 000004
【図４】
0005409753.tif 000005
【図５】
0005409753.tif 000006
【図６】
0005409753.tif 000007
【図７】
0005409753.tif 000008
【図８】
0005409753.tif 000009